(57)【要約】      （修正有）【課題】稲田や蓮田の根の成長を促進させることができる水循環装置を提供する。【解決手段】田１の水面より上方位置にヘッダ管２と気水混合器６を配置し、田の水中のポンプ３と気水混合器６とを接続配管４を介して連結し、気水混合器の端部をＴ字継手１０を介してヘッダ管に連結する。そして、ヘッダ管の複数の供給管５から溶存酸素を含む水を田に供給する。気水混合器は、下流側に断面が次第に絞られる絞り部と、絞り部の下流側に断面が次第に拡大する拡大部とが設けられ、絞り部の流路断面が最小となる位置に、給気孔９の一端が連通すると共に、給気孔が大気に開口されている。【選択図】図１
0003200301.tif 000002
【実用新案登録請求の範囲】
【請求項１】
田(1)の水面(1a)より上方に配置されたヘッダ管(2)と、田(1)の底に設けたポンプ(3)と、ポンプ(3)からヘッダ管(2)に接続された接続配管(4)と、ヘッダ管(2)に互いに離間して分岐して並列され、田(1)に給水する複数の供給管(5)と、を具備し、
接続配管(4)とヘッダ管(2)との間に介装されて、水面(1a)より上方に気水混合器(6)が配置され、
その気水混合器(6)は、下流側に断面が次第に絞られる絞り部(7)と、その絞り部(7)の下流側に断面が次第に拡大する拡大部(8)とが設けられ、その絞り部(7)の流路断面が最小となる位置に、給気孔(9)の一端が連通すると共に、その給気孔(9)が大気に開口された田の水循環装置。
【請求項２】
田(1)の水面(1a)より上方に配置されたヘッダ管(2)と、ヘッダ管(2)の上流側に接続されて、田までの落差を利用し、ヘッダ管(2)に水を供給する接続配管(4)と、ヘッダ管(2)の長手方向に互いに離間して分岐して並列され、田に給水する複数の供給管(5)と、を具備し、
接続配管(4)とヘッダ管(2)との間で、水面(1a)より上方に気水混合器(6)が配置され、
その気水混合器(6)は、下流側に断面が次第に絞られる絞り部(7)と、その絞り部(7)の下流側に断面が次第に拡大する拡大部(8)とが設けられ、その絞り部(7)の流路断面が最小となる位置に、給気孔(9)の一端が連通すると共に、その給気孔(9)が大気に開口された田の給水装置。
【考案の詳細な説明】
【技術分野】
【０００１】
本考案は、蓮田や稲田の水循環装置および給水装置に関するものである。
【背景技術】
【０００２】
従来、蓮田や稲田は一定の水深を保持して、水中の地力により蓮根や稲の根の白根の発根を待ち、それを収穫していた。
次に、水耕栽培の技術として下記特許文献１に記載の水耕栽培装置が知られている。
これは、植物を栽培する栽培パネルが設置された栽培槽と、栽培槽へ循環経路を介して養液を送り込むポンプユニットを備えたものである。そして、ポンプユニットの吸込口に吸入管を介して養液を供給して、それを衝突部材に衝突させる。さらに、空気導入口を設け、気泡を発生させて、植物の育成を助長するものである。
【先行技術文献】
【特許文献】
【０００３】
【特許文献１】特開２０１２−６０９２７号公報
【考案の概要】
【考案が解決しようとする課題】
【０００４】
従来の蓮田や稲田は、水深の管理以外、稲や蓮根の成長を促進させる管理を行っていなかった。
また、従来の水耕栽培は、それをそのまま蓮田や稲田に使用できるものではなかった。
本考案者の実験によれば、蓮田や稲田の水を循環させ或いは外部から田に水を供給すると共に、その水に十分な酸素を供給することにより、蓮根や稲の発根を促して、稲や蓮根の収量を増加させることができることが分かった。
そこで、本考案は係る知見に基づいて考案されたものである。
【課題を解決するための手段】
【０００５】
請求項１に記載の本考案は、田(1)の水面(1a)より上方に配置されたヘッダ管(2)と、田(1)の底に設けたポンプ(3)と、ポンプ(3)からヘッダ管(2)に接続された接続配管(4)と、ヘッダ管(2)に互いに離間して分岐して並列され、田(1)に給水する複数の供給管(5)と、を具備し、
接続配管(4)とヘッダ管(2)との間に介装されて、水面(1a)より上方に気水混合器(6)が配置され、
その気水混合器(6)は、下流側に断面が次第に絞られる絞り部(7)と、その絞り部(7)の下流側に断面が次第に拡大する拡大部(8)とが設けられ、その絞り部(7)の流路断面が最小となる位置に、給気孔(9)の一端が連通すると共に、その給気孔(9)が大気に開口された田の水循環装置である。
【０００６】
請求項２に記載の本考案は、田(1)の水面(1a)より上方に配置されたヘッダ管(2)と、ヘッダ管(2)の上流側に接続されて、田までの落差を利用し、ヘッダ管(2)に水を供給する接続配管(4)と、ヘッダ管(2)の長手方向に互いに離間して分岐して並列され、田に給水する複数の供給管(5)と、を具備し、
接続配管(4)とヘッダ管(2)との間で、水面(1a)より上方に気水混合器(6)が配置され、
その気水混合器(6)は、下流側に断面が次第に絞られる絞り部(7)と、その絞り部(7)の下流側に断面が次第に拡大する拡大部(8)とが設けられ、その絞り部(7)の流路断面が最小となる位置に、給気孔(9)の一端が連通すると共に、その給気孔(9)が大気に開口された田の給水装置である。
【考案の効果】
【０００７】
請求項１に記載の本考案の田の水循環装置は、水面(1a)より上方にヘッダ管(2)および気水混合器(6)を配置し、水中にポンプ配置して、ヘッダ管(2)に設けた複数の供給管(5)により田に空気を混入した給水を行うものである。
そのため、気水混合器(6)により多くの溶存酸素を含む給水を、複数の供給管(5)で、まんべんなく田に供給することができ、稲の根や蓮根を肥大に成長することができる。即ち、気水混合器(6)で給水中の溶存酸素量を増大させ、稲や蓮根の白根の発根を促すことにより、地中の養分を強力に吸収して、稲や蓮根の収量を増加させることができる。この気水混合器６は、エジェクターとして知られているものである。即ち、気水混合器の絞り部に発生する負圧により、外部の空気を強力に吸引して、それを水中に取り込むものである。
【０００８】
請求項２に記載の本考案の田の給水装置は、ヘッダ管(2)に接続配管(4)が連結され、それにより田までの落差を利用して、水を複数の供給管(5)に供給する。そして、接続配管(4)とヘッダ管(2)との間に気水混合器(6)を配置したものである。
そのため、動力を不要として、給水中の溶存酸素量を増大させ、稲や蓮根の白根の発根を促すことにより、地中の養分を強力に吸収して、稲や蓮根の収量を増加させることができる。ここで用いる気水混合器６も、前記同様にエジェクターとして知られているものである。
【図面の簡単な説明】
【０００９】
【図１】本考案の稲田または蓮田の水循環装置の模式的説明図。
【図２】図１のII部断面図。
【図３】図１のIII部断面図。
【図４】同装置に用いられる気水混合器６とヘッダ管２との取付け説明図。
【図５】同他の気水混合器６の取付け説明図。
【図６】本考案の水循環装置により収穫された蓮根（Ａ）と、従来型の田で収穫された蓮根（Ｂ）との比較図。
【図７】本考案の稲田または蓮田の給水装置の説明図。
【考案を実施するための形態】
【００１０】
次に、図面に基づいて本考案の実施の形態につき説明する。
図１〜図４は本考案の蓮田または稲田の水循環装置の実施例である。
この水循環装置は、一例として蓮田１の水中に配置されたポンプ３と、蓮田１の外に配置されたヘッダ管２と気水混合器６と接続配管４及び供給管５とを有する。
ヘッダ管２は、その中間にＴ字継手１０が配置され、そのＴ字継手１０の端部に気水混合器６が連結されている。そして、その気水混合器６と水中のポンプ３との間が接続配管４で連結されている。さらに、ヘッダ管２には多数の供給管５が定間隔に配置されている。
【００１１】
このようにしてなる水循環装置は、ポンプ３により吸引した水を気水混合器６を介してヘッダ管２に供給する。このとき、図２に示す如く、水は気水混合器６の上流側の絞り部７で絞られ、下流側の拡大部８でそれが拡大してＴ字継手１０に供給される。
このとき、絞り部７と拡大部８の境には給気孔９の端部が位置し、給気孔９からエアー１３を吸引してそれを給水中に混入させる。そのエアー１３は、気水混合器６内で微細な泡となりそれが水に混入し、給水中の溶存酸素量を増大させる。そしてヘッダ管２に供給された給水は、各供給管５から田１に供給される。
【００１２】
この例では、図３の如く、供給管５の端部は水面１ａより上方に位置し、その落下中にさらに空気を取り込み水面１ａに供給する。
なお、この例では、気水混合器６とヘッダ管２との間にＴ字継手１０を介在させたが、図５の如く、ヘッダ管２にＴ字部を設け、それに気水混合器６の一端を接続してもよい。
このように、気水混合器６により溶存酸素を混入させた水循環装置は、多くの溶存酸素を含む給水を複数の供給管５より田に万遍なく供給することができ、稲の根や蓮根の肥大化を促しその成長を促進させることが本考案者の実験により明らかとなった。
【００１３】
図６（Ａ）は本水循環装置を用いて収穫した場合の蓮根１１と、従来型の蓮田から収穫された蓮根１１との比較例である。この実験は、広さ３００ｍ２の蓮田において行ったものである。本考案では蓮田の水を循環させたが、従来の田ではその循環を行わなかった。
【００１４】
次に、図７は本考案の稲田または蓮田の給水装置の説明図である。
この例が、前記水循環装置と異なる点は、給水を水源１２から接続配管４，気水混合器６を介してヘッダ管２に供給し、それを田１に放出することである。
水源１２は、田１よりも上方に位置する。そのため、水源１２と田１との落差によって水が供給される。従って、この例では図１に示すような、ポンプが不要である。
そして、水源１２から接続配管４を介し気水混合器６に供給された水は、気水混合器６の給気孔９からエアーを吸込み、水にそれを取り込んで田１に供給する。この例においても、水中に多量の溶存酸素を含み蓮根１１の成長を促す。
【００１５】
（他の実施例）
上記実施例は主として、蓮田について述べたが、実験によれば、稲田においても、本考案の水循環装置または給水装置は、稲の根の成長を促進し、稲の収量を増加させることが分かった。
【符号の説明】
【００１６】
１  田
１ａ  水面
２  ヘッダ管
３  ポンプ
４  接続配管
５  供給管
６  気水混合器
７  絞り部
【００１７】
８  拡大部
９  給気孔
１０  Ｔ字継手
１１  蓮根
１２  水源
１３  エアー
１４  水
１５  端蓋
【図１】
0003200301.tif 000003
【図２】
0003200301.tif 000004
【図３】
0003200301.tif 000005
【図４】
0003200301.tif 000006
【図５】
0003200301.tif 000007
【図６】
0003200301.tif 000008
【図７】
0003200301.tif 000009